(57)【要約】【課題】小切手発行取引を迅速に行うことができる小切手発行装置を提供する。【解決手段】小切手を収納する小切手カセットと、記憶部とを備えた小切手発行装置において、小切手を装填するときに、最初の小切手番号を入力して基準小切手番号として記憶部に格納し、基準小切手番号と小切手の累積発行枚数とにより、発行した小切手の小切手番号を算出する。これにより、小切手発行取引が行われるたびに小切手の小切手番号の読み取りを行う必要がなく、小切手発行取引を迅速に行うことができる。【選択図】  図１
2005004537.tif 000002
【特許請求の範囲】
【請求項１】
小切手を収納する小切手カセットと、記憶部とを備えた小切手発行装置において、
前記小切手を装填するときに、最初の小切手番号を入力して基準小切手番号として前記記憶部に格納し、前記基準小切手番号と小切手の累積発行枚数とにより、発行した小切手の小切手番号を算出することを特徴とする小切手発行装置。
【請求項２】
請求項１において、
小切手の小切手番号を読み取る番号読み取り部を設け、
該番号読み取り部により読み取った前記小切手カセットの先頭の小切手の小切手番号と、前記基準小切手番号とを照合することを特徴とする小切手発行装置。
【請求項３】
請求項１において、
前記小切手カセットに小切手を補充するとき、係員が入力した補充小切手の最初の補充小切手番号を、前記小切手カセットに残留する最後の小切手の小切手番号に連続する小切手番号と認識することを特徴とする小切手発行装置。
【請求項４】
請求項２または請求項３において、
搬送異常が発生したときに、前記番号読み取り部により前記小切手カセットの先頭の小切手の小切手番号を読み取り、該小切手番号を新たな基準小切手番号とすることを特徴とする小切手発行装置。
【請求項５】
請求項２、請求項３または請求項４において、
前記番号読み取り部が、前記小切手カセットに小切手が収納されていることを検知することを特徴とする小切手発行装置。
【請求項６】
請求項２から請求項４または請求項５において、
顧客との小切手発行取引が行われた後に、前記番号読み取り部により、前記小切手カセットのそのときの先頭の小切手の小切手番号を読み取り、該読み取った小切手番号を次の取引で発行する小切手番号と照合することを特徴とする小切手発行装置。
【請求項７】
小切手を収納する小切手カセットと、記憶部とを備えた小切手発行装置の制御部を、
前記小切手を装填するときに、最初の小切手番号の入力を受け付ける小切手番号入力受付手段と、
前記受け付けた小切手番号を基準小切手番号として前記記憶部に格納する基準小切手番号記憶手段と、
前記基準小切手番号と小切手の累積発行枚数とにより、発行した小切手の小切手番号を算出する発行小切手番号算出手段として機能させることを特徴とする小切手発行装置のプログラム。
【請求項８】
請求項７において、
小切手の小切手番号を読み取る番号読み取り部を設け、
該番号読み取り部により読み取った前記小切手カセットの先頭の小切手の小切手番号と、前記基準小切手番号とを照合する小切手番号照合手段として機能させることを特徴とする小切手発行装置のプログラム。
【請求項９】
請求項７において、
前記小切手カセットに小切手を補充するとき、係員が入力した補充小切手の最初の補充小切手番号を前記小切手カセットに残留する最後の小切手の小切手番号に連続する小切手番号と認識する補充小切手番号認識手段として機能させることを特徴とする小切手発行装置のプログラム。
【請求項１０】
請求項８または請求項９において、
搬送異常が発生したときに、前記番号読み取り部により前記小切手カセットの先頭の小切手の小切手番号を読み取る異常時小切手番号読取手段と、
該小切手番号を新たな基準小切手番号とする基準小切手番号更新手段として機能させることを特徴とする小切手発行装置のプログラム。
【請求項１１】
請求項８、請求項９または請求項１０において、
顧客との小切手発行取引が行われた後に、前記番号読み取り部により、前記小切手カセットのそのときの先頭の小切手の小切手番号を読み取る取引後先頭小切手番号読取手段と、
該読み取った小切手番号を次の取引で発行する小切手番号と照合する次取引小切手番号照合手段として機能させることを特徴とする小切手発行装置のプログラム。
【発明の詳細な説明】
【０００１】
【発明の属する技術分野】
本発明は、小切手発行取引を行うことができる小切手発行装置に関する。
【０００２】
【従来の技術】
従来の小切手発行装置としての自動取引装置は、顧客との小切手発行取引を行う場合、小切手を小切手カセットから繰り出し、番号読み取り部により予め小切手に印字されている小切手番号を読み取り、印字部により小切手発行日を印字して発行し、読み取った小切手番号や口座番号等をホストコンピュータに送信してデータベースに格納している（例えば、特許文献１参照。）。
【０００３】
【特許文献１】
特開平１０−２２２７２９号公報（第２頁
【０００７】−第４頁
【００２３】、第１図−第４図）
【０００４】
【発明が解決しようとする課題】
しかしながら、上記の従来の技術においては、小切手を発行するたびに小切手番号の読み取りを行うために、小切手発行取引に時間を要するという問題がある。
【０００５】
そこで本発明は、小切手発行取引を迅速に行うことができる小切手発行装置を提供することを目的とする。
【０００６】
【課題を解決するための手段】
本発明は、上記課題を解決するために、小切手を収納する小切手カセットと、記憶部とを備えた小切手発行装置において、小切手を装填するときに、最初の小切手番号を入力して基準小切手番号として記憶部に格納し、基準小切手番号と小切手の累積発行枚数とにより、発行した小切手の小切手番号を算出することを特徴とする。
【０００７】
また、小切手発行装置の制御部を、小切手を装填するときに、最初の小切手番号の入力を受け付ける小切手番号入力受付手段と、受け付けた小切手番号を基準小切手番号として記憶部に格納する基準小切手番号記憶手段と、基準小切手番号と小切手の累積発行枚数とにより、発行した小切手の小切手番号を算出する発行小切手番号算出手段として機能させることを特徴とする。
【０００８】
【発明の実施の形態】
以下に、図面を参照して本発明の実施の形態の小切手発行装置について説明する。
【０００９】
図１は実施の形態の自動取引装置を示すブロック図、図２は実施の形態の自動取引装置を示す斜視図、図３は実施の形態の紙幣入出金部を示す側面図、図４は実施の形態の基準小切手番号の設定処理を示すフローチャート、図５は実施の形態の小切手発行処理を示すフローチャート、図６は実施の形態の小切手番号入力画面の表示例、図７は実施の形態の取引選択画面の表示例である。
【００１０】
図１、図２において、１は金融機関のセンタに設置されている上位装置としてのホストコンピュータであり、金融機関の営業店やコンビニエンスストア等に設置されている自動取引装置３と電話回線等の通信回線を介して接続しており、暗証番号、口座番号、口座残高等の顧客情報を格納する顧客ファイル等を有するデータベース２を備えている。
【００１１】
なお、本実施の形態の自動取引装置３は、本発明の小切手発行装置として機能するものである。
【００１２】
４は自動取引装置３の制御部であり、通信部５により通信回線を介してホストコンピュータ１と接続しており、自動取引装置３の各部を制御する。
【００１３】
６は自動取引装置３の記憶部であり、一般的な従来の自動取引装置３に備えられ、制御部４が実行するプログラムや制御部４による処理結果等が格納されており、本実施の形態では小切手発行取引の情報等も格納する。
【００１４】
７は顧客操作部であり、ＣＲＴまたはＬＣＤ等とタッチパネル等との組み合わせ等で構成されており、取引選択画面、顧客の希望等を問い合わせる画面、顧客の操作を促す画面等を表示する一方、タッチパネルにより外部からの入力を受け付ける。
【００１５】
８はカード取扱部であり、顧客がカード挿入口８ａから挿入したキャッシュカード等の取引カードの磁気ストライプ・に記録されている口座番号等のカード情報の読み書きをすると共に、取引カードをカード挿入口８ａから排出する。
【００１６】
９はレシート処理部であり、顧客が行った取引内容等をレシートに印刷してレシート排出口９ａから排出する。
【００１７】
１０は小切手処理機能を有する紙幣入出金部であり、紙幣入出金口１０ａから顧客の紙幣を受け入れ、これを鑑別、計数して収納する一方、顧客に払い出す紙幣および発行した小切手を排出する。
【００１８】
１１は係員操作部であり、自動取引装置３の紙幣の補充や保守等の際に開閉する扉の内側に設けられており、ＣＲＴまたはＬＣＤ等とタッチパネル等との組み合わせ等で構成されており、係員が操作して電源の投入、遮断等を行うと共に、小切手番号入力画面等を表示してタッチパネルにより係員からの小切手番号の入力等を受け付ける。
【００１９】
図３において、２０は鑑別部であり、入出金される紙幣の金種、真偽、正損等を鑑別する。
【００２０】
２１は紙幣カセットであり、紙幣入出金部１０に設けられており、入金された紙幣を収納し、出金のための紙幣が繰り出し手段により繰り出される。
【００２１】
２２は番号読み取り部であり、ＯＣＲ（Ｏｐｔｉｃａｌ  ＣｈａｒａｃｔｅｒＲｅａｄｅｒ）等の文字読取装置であって、小切手に印字されている小切手番号を読み取る。
【００２２】
２３は印字部であり、小切手に小切手発行日等を印字する。
【００２３】
２４は厚さ検出ローラであり、これと支持ローラ２５との間で挟持した小切手の厚さに応じて移動し、この移動量を図示しない厚さ検出センサが検出することにより小切手厚さを検出するもので、制御部４がその検出された厚さにより、小切手一枚の厚さである場合は正常な小切手と判断し、二枚以上の厚さである場合は搬送異常が発生したと判断する。
【００２４】
２６は小切手カセットであり、紙幣入出金部１０に設けられており、予め小切手番号等が印字されている小切手を収納する。
【００２５】
２６ａは窓部であり、番号読み取り部２２と印字部２３とに対向する位置に設けられ、番号読み取り部２２が小切手番号を読み取り、印字部２３が小切手発行日を印字できる大きさの開口を有している。
【００２６】
２７はリジェクトカセットであり、出金取引や小切手発行取引のときに、鑑別部２０で正常ではないと鑑別された紙幣、厚さ検出ローラ２４で小切手厚さが二枚以上の厚さであると検出された小切手、顧客が紙幣入出金口１０ａから取り忘れた紙幣や小切手等を収納する。
【００２７】
２８は搬送路であり、紙幣カセット２１や小切手カセット２６から繰り出された紙幣や小切手を搬送する。
【００２８】
上述した構成の作用について説明する。
【００２９】
以下に、図４に示すフロ−チャ−トを用い、Ｓで示すステップに従って、空の状態の小切手カセット２６に係員が小切手を装填する時の基準小切手番号の設定処理について説明する。
【００３０】
本実施の形態で使用する小切手には、予め所定の小切手金額が印字され、さらに小切手番号が連番で印字されている。
【００３１】
また、記憶部６には小切手カセット２６に装填する小切手の最初と最後の小切手番号を格納する第一エリアと、後述する基準小切手番号を格納する第二エリアと、基準小切手番号が設定された後の小切手の累積発行枚数を格納する第三エリアと、算出された小切手番号を格納する第四エリアとが確保されている。
【００３２】
Ｓ１、金融機関等の係員が、自動取引装置３の図示しない扉の内側に設けられた係員操作部１１に表示されている操作の選択画面から小切手の装填を選択すると、制御部４は係員操作部１１に図６に示すような小切手番号入力画面を表示する。
【００３３】
小切手番号入力画面には、小切手番号の入力を促す文言、小切手番号を入力するためのテンキー、入力の内容を訂正するための「訂正」ボタン、入力の終了を指示するための「確認」ボタン等が表示され、係員はこれに従って小切手番号入力画面から小切手カセット２６に装填する小切手の最初と最後の小切手番号をテンキーにより入力して「確認」ボタンを押下し、小切手を小切手カセット２６に装填する。
【００３４】
Ｓ２、制御部４は、「確認」ボタンの押下を検知して入力された最初と最後の小切手番号を記憶部６の第一エリアに格納する。そして最初の小切手番号を基準小切手番号として記憶部６の第二エリアに格納する。
【００３５】
Ｓ３、基準小切手番号を記憶部６の第二エリアに格納すると、制御部４は番号読み取り部２２により小切手カセット２６の先頭の小切手の小切手番号を読み取る。
【００３６】
Ｓ４、制御部４は読み取った小切手番号と、記憶部６の第二エリアに格納した基準小切手番号とを照合し、照合結果が不一致ならばステップＳ５へ、一致ならばステップＳ６へ移行する。
【００３７】
Ｓ５、小切手番号の照合結果が不一致の場合、制御部４は係員操作部１１の画面にその旨を表示して図６と同様の小切手番号入力画面を表示し、係員は小切手カセット２６に装填した小切手を確認し、入力が間違っていた場合はその小切手番号を再入力し、番号読み取り部２２が小切手カセット２６の先頭の小切手の小切手番号を正しく読み取れない場合は、その調整等を行って「確認」ボタンを押下する。
【００３８】
これを検知した制御部４は、ステップＳ３に戻り再度番号読み取り部２２により小切手カセット２６の先頭の小切手の小切手番号を読み取り、小切手番号の照合を行う。
【００３９】
Ｓ６、小切手番号の照合結果が一致すると、制御部４は第三エリアの累積発行枚数を「０」として、基準小切手番号の設定処理を終了する。
【００４０】
なお、最初の小切手番号が再入力された場合は、再入力された小切手番号を基準小切手番号として記憶部６の第三エリアに格納し直す。
【００４１】
次に図５に示すフロ−チャ−トを用い、ＳＡで示すステップに従って顧客が自動取引装置３から小切手を発行する場合について説明する。
【００４２】
ＳＡ１、自動取引装置３の制御部４は、顧客操作部７に図７に示す取引選択画面を表示して、顧客操作待ち状態で待機している。
【００４３】
取引選択画面には、取引内容の選択を促す文言、出金取引ための「お引き出し」ボタン、入金取引ための「お預け入れ」ボタン、預金の残高を確認するための「残高照会」ボタン、振込み取引ための「お振り込み」ボタン等の通常の取引のためのボタンに加えて、小切手発行取引のための「小切手発行」ボタンが表示される。
【００４４】
ＳＡ２、顧客は取引選択画面の「小切手発行」ボタンを選択して押下する。
【００４５】
ＳＡ３、顧客が「小切手発行」ボタンを押下すると、制御部４は顧客操作部７に取引カードの挿入を促す画面を表示し、顧客はこれに従って取引カードをカード挿入口８ａから挿入する。
【００４６】
このとき、制御部４はカード取扱部８より、顧客が挿入した取引カードの磁気ストライプに記録されている口座番号等のカード情報を読み取る。
【００４７】
ＳＡ４、取引カードが挿入されると、制御部４は顧客操作部７に暗証番号の入力を促す画面を表示し、顧客はテンキーにより暗証番号を入力する。
【００４８】
ＳＡ５、暗証番号が入力されると、制御部４は顧客操作部７に小切手の発行枚数の入力を促す画面を表示し、顧客はテンキーにより発行枚数を入力する。
【００４９】
なお、制御部４は顧客操作部７に小切手の発行枚数の入力を促す画面を表示する代わりに、小切手の合計の発行金額の入力を促す画面を表示するようにようにしてもよい。
【００５０】
ＳＡ６、小切手の発行枚数が入力されると、制御部４は取引カードのカード情報に入力された小切手の発行枚数や暗証番号等を添付して取引電文を作成し、通信部５により通信回線を介してホストコンピュータ１に送信する。
【００５１】
取引電文を受信したホストコンピュータ１は、取引電文を基にデータベース２の顧客ファイルを検索して該当する顧客ファイルの暗証番号と取引電文の暗証番号とを照合し、暗証番号が一致する場合は顧客を認証し、口座残高が発行する小切手の金額より多い場合は取引可能の旨を電文にして取引可否電文を作成すると共に、顧客の顧客ファイルの口座残高を更新する。
【００５２】
暗証番号が一致しない場合や、口座残高が発行する小切手の金額より少ない場合は取引不可能の旨を電文にして取引可否電文を作成する。
【００５３】
ホストコンピュータ１は取引可否電文を自動取引装置３へ通信回線を介して送信する。
【００５４】
ＳＡ７、制御部４は、通信部５を介して取引可否電文を受信する。
【００５５】
ＳＡ８、通信部５により取引可否電文を受信した制御部４は、これにより小切手発行取引の可否を判断し、小切手発行取引が不可能と判断するとステップＳＡ９へ、小切手発行取引が可能と判断するとステップＳＡ１０へ移行する。
【００５６】
ＳＡ９、小切手発行取引が不可能と判断した制御部４は、取引カードをカード挿入口８ａから排出し、顧客がこれを受け取ったことを検知すると小切手発行取引を終了させてステップＳＡ１へ戻り、顧客操作部７に取引選択画面を表示して待機する。
【００５７】
ＳＡ１０、小切手発行取引が可能と判断した制御部４は、印字部２３により窓部２６ａから小切手カセット２６の先頭の小切手に小切手発行日を印字する。
【００５８】
ＳＡ１１、小切手発行日を印字すると、制御部４は小切手カセット２６から小切手を繰り出し、厚さ検出ローラ２４へ搬送する。
【００５９】
ＳＡ１２、小切手を厚さ検出ローラ２４へ搬送した制御部４は、図示しない厚さ検知センサにより小切手厚さを検出し、小切手厚さが一枚の厚さであるか否かを判断し、二枚以上の厚さである場合は、これを搬送異常が発生したと判断してステップＳＡ１３へ、小切手厚さが一枚の厚さである場合はステップＳＡ１５へ移行する。
【００６０】
ＳＡ１３、制御部４は搬送異常が発生したと判断すると、小切手をリジェクトカセット２７に搬送して収納する。
【００６１】
ＳＡ１４、小切手をリジェクトカセット２７に収納すると、制御部４は番号読み取り部２２により小切手カセット２６の先頭の小切手番号を読み取り、これを新たな基準小切手番号として設定して記憶部６の第二エリアに格納し、さらに累積発行枚数を「０」として第三エリアの記憶部６に格納し、上記のステップＳＡ１０へ戻って小切手カセット２６の先頭の小切手に小切手発行日を印字する。
【００６２】
なお、制御部４は、小切手発行取引の途中でジャムが発生した場合も、厚さ検出ローラ２４で小切手厚さが二枚以上の厚さである場合と同様に搬送異常が発生したと判断するが、ジャム小切手が係員により取り除かれた後に上記と同様にして新たな基準小切手番号を設定して記憶部６の第二エリアに格納し、さらに累積発行枚数を「０」として第三エリアの記憶部６に格納してステップＳＡ１０へ移行する。
【００６３】
ＳＡ１５、制御部４は小切手厚さが一枚の厚さである場合、小切手を紙幣入出金口１０ａに搬送して集積する。
【００６４】
これにより制御部４は、記憶部６の第三エリアの累積発行枚数を、記憶部６の第二エリアに格納している基準小切手番号に加えて小切手番号を算出し、記憶部６の第四エリアに格納すると共に、記憶部６の第三エリアの累積発行枚数に「１」を加算する。
【００６５】
小切手を２枚以上発行する場合は、制御部４は印字部２３により小切手に小切手発行日を印字し、小切手カセット２６から繰り出して厚さ検出ローラ２４で小切手厚さを検出し、小切手厚さが一枚の厚さであると判断すると紙幣入出金口１０ａに集積し、小切手番号を一枚ごとに算出して記憶部６の第四エリアに格納し、発行した小切手の枚数を累積して管理する。
【００６６】
ＳＡ１６、発行した小切手の小切手番号を算出して記憶部６の第四エリアに格納すると制御部４は、番号読み取り部２２により小切手カセット２６の先頭の小切手の小切手番号を読み取り、基準小切手番号に第三エリアの累積発行枚数を加えて算出した次の取引で発行する小切手番号と照合してその一致を確認し、小切手発行取引が正しく行われたか否かを判断し、小切手番号が不一致の場合は係員にその旨を報知し、適切な処置を講ずる。
【００６７】
ＳＡ１７、小切手番号の一致を確認すると制御部４は、小切手を紙幣入出金口１０ａから排出して顧客に引き渡し、同時に取引カードをカード挿入口８ａから、顧客が行った取引内容を示すレシートをレシート処理部９で印字してレシート排出口９ａから排出する。
【００６８】
ＳＡ１８、小切手を排出すると制御部４は、発行したそれぞれの小切手の小切手番号、小切手発行日、小切手の合計金額等の取引情報とカード情報とをホストコンピュータ１に送信し、これを受信したホストコンピュータ１は、データベース２の顧客ファイルに格納する。
【００６９】
以上説明したように、本実施の形態では、最初の小切手番号を入力して基準小切手番号として記憶部に格納し、基準小切手番号と小切手の累積発行枚数とにより、発行した小切手の小切手番号を算出して枚数管理を行うことにより、小切手発行取引が行われるたびに小切手の小切手番号の読み取りを行う必要がなくなり、小切手発行取引を迅速に行うことができると共に自動取引装置の稼動効率を向上させることができる。
【００７０】
また、番号読み取り部が小切手カセットに装填されている小切手の小切手番号を読み取ることにより、小切手が正確に小切手カセットに収納されていることを確認することができ、また小切手が収納されていることを検知するためのセンサを設ける必要がなくなり、自動取引装置の製造費用を削減することができる。
【００７１】
なお、本実施の形態では、小切手カセット２６に装填する小切手の最初の小切手番号を基準小切手番号とし、番号読み取り部２２により読み取った小切手カセット２６の先頭の小切手の小切手番号と照合するとしたが、係員が装填する小切手の小切手番号を小切手番号入力画面から入力することなく小切手を小切手カセット２６に装填し、制御部４が番号読み取り部２２により小切手カセット２６の先頭の小切手の小切手番号を読み取り、これを基準小切手番号とするようにしてもよい。
【００７２】
また、本実施の形態では、係員が空の状態の小切手カセット２６に小切手を装填する場合について説明したが、始業時等に係員が小切手カセット２６に小切手を補充する場合は、補充小切手の最初の補充小切手番号を小切手カセット２６に残留する係員が入力した最後の小切手の小切手番号に連続する小切手番号として小切手番号入力画面から入力し、制御部４はこれを認識して小切手カセット２６に残留する最後の小切手が発行されると、補充小切手の最初の補充小切手番号を新たな基準小切手番号とし、記憶部６の第三エリアの累積発行枚数を「０」として記憶部６に格納する。
【００７３】
さらに、本実施の形態では、係員が自動取引装置３に装着されている小切手カセット２６に手詰めで小切手を装填するものとして説明したが、予め小切手を装填した小切手カセット２６を交換することで、自動取引装置３に小切手を装填するものとしてもよい。
【００７４】
この場合、交換用の小切手カセット２６を自動装填することが可能である。つまり、この種の自動取引装置３においては、紙幣を補充する場合、営業店等に設置されている現金処理装置で紙幣カセット２１の紙幣を自動装填し、この紙幣カセット２１を自動取引装置３に装着されている紙幣カセット２１と交換することで、自動取引装置３に対する紙幣の装填を行っている。
【００７５】
従って、前記現金処理装置を利用して、あるいは前記現金処理装置と同様の小切手装填装置で小切手カセット２６に小切手を自動装填することが可能である。
【００７６】
このように小切手カセット２６に自動装填する装置を用いる場合、この装置と自動取引装置３を通信回線で接続し、この自動装填する装置で前記番号読み取り部２２と同様のＯＣＲ等によって小切手カセット２６に装填した先頭の小切手の小切手番号を読み取り、その読み取った小切手番号を自動取引装置３に送信して自動入力し、前記のように基準小切手番号として利用するようにしてもよい。
【００７７】
無論、紙幣カセット２１と交換時に自動取引装置３の番号読み取り部２２で小切手カセット２６内の先頭の小切手の小切手番号を読み取り、これを基準小切手番号とするようにしてもよい。
【００７８】
さらに、本実施の形態では、小切手番号を予め記憶部６の第二エリアに格納している基準小切手番号に第三エリアの累積発行枚数を加えて小切手番号を算出するものとしたが、顧客による取引が終了するごとに、次の取引で発行する小切手の小切手番号を新たな基準小切手番号とし、第三エリアの累積発行枚数を「０」として記憶部６に格納し、新たな基準小切手番号に第三エリアの累積発行枚数を加えて小切手番号を算出するようにしてもよい。
【００７９】
さらに、小切手カセット２６は小切手の種類ごとに複数設けるようにしてもよい。
【００８０】
さらに、本実施の形態では、入出金機能を有する自動取引装置について説明したが、出金機能のみを有する自動取引装置についても適用することができ、さらに小切手発行のみの自動取引装置として用いるようにしてもよい。
【００８１】
本実施の形態においては、小切手発行装置を小切手発行装置として機能する自動取引装置を例に説明したが、小切手発行装置はそれに限らず小切手発行機能を有する装置、もしくは切手発行装置そのものを含むものとする。
【００８２】
【発明の効果】
以上述べたように、本発明は、最初の小切手番号を入力して基準小切手番号として記憶部に格納し、基準小切手番号と小切手の累積発行枚数とにより、発行した小切手の小切手番号を算出して枚数管理を行うことにより、小切手発行取引が行われるたびに小切手の小切手番号の読み取りを行う必要がなく、小切手発行取引を迅速に行うことができるという効果が得られる。
【図面の簡単な説明】
【図１】実施の形態の自動取引装置を示すブロック図
【図２】実施の形態の自動取引装置を示す斜視図
【図３】実施の形態の紙幣入出金部を示す側面図
【図４】実施の形態の基準小切手番号の設定処理を示すフローチャート
【図５】実施の形態の小切手発行処理を示すフローチャート
【図６】実施の形態の小切手番号入力画面の表示例
【図７】実施の形態の取引選択画面の表示例
【符号の説明】
１  ホストコンピュータ
２  データベース
３  自動取引装置
４  制御部
５  通信部
６  記憶部
７  顧客操作部
８  カード取扱部
８ａ  カード挿入口
９  レシート処理部
９ａ  レシート排出口
１０  紙幣入出金部
１０ａ  紙幣入出金口
１１  係員操作部
２０  鑑別部
２１  紙幣カセット
２２  番号読み取り部
２３  印字部
２４  厚さ検出ローラ
２５  支持ローラ
２６  小切手カセット
２６ａ  窓部
２７  リジェクトカセット
２８  搬送路
【図１】
2005004537.tif 000003
【図２】
2005004537.tif 000004
【図３】
2005004537.tif 000005
【図４】
2005004537.tif 000006
【図５】
2005004537.tif 000007
【図６】
2005004537.tif 000008
【図７】
2005004537.tif 000009